(57)【要約】【課題】操作性の良い、装置が嵩張らない、制御部の液晶表示器が曇るようなことのないビルトインタイプの電子レンジを提供する。【解決手段】加熱室内に高周波を供給する高周波発生部と、装置の制御をする制御基板を内包した制御部と、該制御部内へ冷却風を送る送風部と備え、他の種類の加熱調理器の直下に組み込み配置されるビルトインタイプの電子レンジにおいて、前記制御部を長さ方向に延びるカンガルーポケットで構成し、該カンガルーポケット式制御部を前記電子レンジの前面上部に取り付け、前記送風部からの空気を前記カンガルーポケット式制御部の裏面から前記カンガルーポケット式制御部内へ導入し、前記制御基板を冷却した空気を前記カンガルーポケット式制御部の有する回転用隙間から排気するようにした。【選択図】  図１
2005003319.tif 000002
【特許請求の範囲】
【請求項１】
被加熱物を収容する加熱室と、該加熱室内に高周波を供給する高周波発生部と、装置の制御をする制御基板を内包した制御部と、該制御部内へ冷却風を送る送風部と備え、前記加熱室に高周波を供給して前記被加熱物を加熱処理する電子レンジであって、他の種類の加熱調理器の直下に組み込み配置されるビルトインタイプの電子レンジにおいて、
前記制御部を長さ方向に延びるカンガルーポケットで構成し、該カンガルーポケット式制御部を前記電子レンジの前面上部に取り付け、前記送風部からの空気を前記カンガルーポケット式制御部の裏面から前記カンガルーポケット式制御部内へ導入し、前記制御基板を冷却した空気を前記カンガルーポケット式制御部の有する回転用隙間から排気するようにしたことを特徴とする電子レンジ。
【請求項２】
前記送風部を前記電子レンジの裏側に設けたことを特徴とする請求項１記載の電子レンジ。
【請求項３】
前記送風部からの空気を前記加熱室の天井裏に導き、そこから前記カンガルーポケット式制御部の裏面へ導くようにしたことを特徴とする請求項２記載の電子レンジ。
【請求項４】
前記電子レンジの背面板の裏側に設けられて前記送風部からの空気を前記天井裏の隅部に導くガイド部材と、前記天井の裏側に設けられ、前記電子レンジの側面と所定の間隔を置いて平行に立設する第１仕切り板および該第１仕切り板と接触してかつ前記カンガルーポケット式制御部と所定の間隔を置いて立設する第２仕切り板と、を備えたことを特徴とする請求項３記載の電子レンジ。
【発明の詳細な説明】
【０００１】
【発明の属する技術分野】
本発明は、誘導加熱調理器やガスレンジ等のその他の加熱調理器と組み合わせて用いられるビルトインタイプの電子レンジに関するもので、特にカンガルーポケット式の制御部を用いたビルトインタイプの電子レンジに関する。
【０００２】
【従来の技術】
従来より誘導加熱調理器やガスレンジ等と組み合わせて用いられるビルトインタイプの電子レンジで、カンガルーポケット式制御部を用いたものは公知である（例えば、特許文献１参照）。
【０００３】
【特許文献１】
特公平８−３０５７９号公報
【特許文献２】
特表２００３−５１７５６４号公報
図８は特許文献１記載のビルトインタイプの従来装置の１例の斜視図である。図において、８０はビルトインタイプの従来装置、８１はガス調理器、８２は電子レンジ、８３は支持台である。ガス調理器８１はガスレンジ８１ａとグリル部８１ｂとから構成されている。
電子レンジ８２は、排気口８１ａ、開閉扉８２ｂ、カンガルーポケット式制御部（コントロールパネル）８２ｃを備えている。電子レンジ８２はガス調理器８１の直下に設けられているため、電子レンジを冷却した空気は、単独の電子レンジのようにそのまま電子レンジの天井から上方に排気することができず、また側面両側にも他のシステムキッチン機器が配備されているので側方から排気することもできず、後方近傍には壁面があるので熱い空気を排出すると熱気が籠もってしまい冷却効果に悪影響を及ぼすので、後方へも排気できない。その結果、電子レンジを冷却した空気は、ガス調理器の筐体を通って上方に排気するか、図示のように正面の排気口８２ａから排気が行なわれている。
【０００４】
カンガルーポケットというのは、多面体の１つの面に表示部・操作部を搭載し、他の面に搭載しないで、それをカバー内に軸中心に回転可能に収納しておき、不使用時には不搭載面をカバーから露出させておき、使用時には多面体を回転させて表示部・操作部の搭載面を露出させて、表示部・操作部を制御するので、操作性が良くなり、また誤接触による誤動作を防止できる。
このカンガルーポケット式制御部８２ｃは従来装置では扉の側方に設けられている。それは、扉の上方に設けておくと電子レンジの開閉扉８２ｂを開けたとき加熱室から排出される熱い水蒸気がカンガルーポケット式制御部の液晶表示部に当たって液晶表示部を曇らせたり、水蒸気がカンガルーポケット式制御部内に入って電子部品の故障の原因となるからであり、これを避けるためである。
【０００５】
また、システムキッチンに組み込みタイプの電子レンジでは、支持台８３の高さはシステムキッチンの他の機器との並びで所定の高さに決められているのでこれだけ低くするわけにはいかないため、排気口８２ａの厚み分だけ電子レンジの加熱室が低くなっており、そして制御器８２ｃの分だけ加熱室の幅が狭くなっている。このように、ビルトインタイプの従来装置は電子レンジの加熱室が上下左右ともに狭くなっていた。
さらに、制御器８２ｃも扉の横にあるので、操作時にはしゃがんで操作することとなり、操作し難くかった（操作性が良くない）。
【０００６】
一方、操作性を良くするためにコントロールパネル（制御部）を加熱室の上方に設けたビルトインタイプの電子レンジも公知である（例えば、前記特許文献２参照）。ただし、これはカンガルーポケット式制御部ではない。
【０００７】
図９は特許文献２記載のビルトインタイプの電子レンジの要部の斜視図である。
図において、９０は特許文献１記載のビルトインタイプの電子レンジ、９１は電子レンジの前面、９２は制御パネル、９３は吸い込みグリル、９４は排気グリルである。この電子レンジ９０は、その前面９１の上部に制御パネル９２がありこの直下に吸い込みグリル９３と排気グリル９４が設けられて、前面９１から冷却用空気が出入りするようになっており、また内部には、上・下部ヒータが設けられ、上部ヒータが設けられている部分には、上部ヒータ冷却ファンによるエアフローが通過する上側内部通路が設けられ、下部ヒータが設けられる部分には、下部ヒータ冷却ファンによるエアフローが通過する冷却通路が設けられ、吸い込みグリル９３から吸い込まれる空気の一部は、直接排気グリル９４の前方に供給され、ヒータを通過することにより高温化された空気と合流した後、排気グリルから排気されるようにしたものである。
【０００８】
これによって、排気グリル９４から出る空気の温度を低くすることができると共に、制御パネル９２が上方にあるので操作性が良くなった。
しかしながら、排気グリル９４が下方に設けられているので、床上にある塵埃を吹き上げることとなって、衛生上問題があった。
また、吸い込みグリル９３および排気グリル９４が前面の上下を占めているので、装置自体の丈が高くなってしまい、ビルトインタイプであるので電子レンジだけを大きくすることができず、したがって電子レンジの丈を小さくせざるを得じ、加熱室の内部容積が狭かった。
【０００９】
【発明が解決しようとする課題】
本発明は、このような問題を解決するためになされたもので、排気グリルを工夫して丈が高くならいような構成を採用することにより、電子レンジ自体の大きさを小さくする必要のない、衛生的で、制御器が使い勝手のよい、扉を開けたときに蒸気が出ても表示器が曇らないビルトインタイプの電子レンジを提供することを目的とする。
【００１０】
【課題を解決するための手段】
上記目的を達成するための本発明に係る請求項１記載の電子レンジは、被加熱物を収容する加熱室と、該加熱室内に高周波を供給する高周波発生部と、装置の制御をする制御基板を内包した制御部と、該制御部内へ冷却風を送る送風部と備え、前記加熱室に高周波を供給して前記被加熱物を加熱処理する電子レンジであって、他の種類の加熱調理器の直下に組み込み配置されるビルトインタイプの電子レンジにおいて、前記制御部を長さ方向に延びるカンガルーポケットで構成し、該カンガルーポケット式制御部を前記電子レンジの前面上部に取り付け、前記送風部からの空気を前記カンガルーポケット式制御部の裏面から前記カンガルーポケット式制御部内へ導入し、前記制御基板を冷却した空気を前記カンガルーポケット式制御部の有する回転用隙間から排気するようにしたことを特徴とする。
このように構成することにより、カンガルーポケット式制御部が装置の前面上部に取り付けられているので操作ボタンを操作する際にその都度しゃがむ必要が無くなり操作性が良くなる。また、カンガルーポケット式制御部の下部に元々回転出来るように隙間があり、その隙間から空気を排気するので排気口を別途設ける必要がなくなり装置が嵩張らなくなると共に、エアカーテンが形成されるので、カンガルーポケット式制御部の液晶表示器が曇るようなことが起きなくなり、また冷却空気の吹き出しを装置前面の上部で行うので、塵埃を巻き上げることがなくなり、清潔となる。
【００１１】
請求項２記載の発明は、請求項１記載の電子レンジにおいて、前記送風部を前記電子レンジの背面板の裏側に設けたことを特徴とする。
このように構成することにより、吸気口と排気口が装置の背面と前面に装置を隔てて分離しているので、排気口から出た暖かい空気を吸気することがなく、冷却効率が良くなる。
【００１２】
請求項３記載の発明は、請求項２記載の電子レンジにおいて、前記送風部からの空気を前記加熱室の天井裏に導き、そこから前記カンガルーポケット式制御部の裏面へ導くようにしたことを特徴とする。
このように構成することにより、電子レンジの天井が冷やされることとなる。
【００１３】
請求項４記載の発明は、請求項３記載の電子レンジにおいて、前記電子レンジの背面板の裏側に設けられて前記送風部からの空気を前記天井裏の隅部に導くガイド部材と、前記天井の裏側に設けられ、前記電子レンジの側面と所定の間隔を置いて平行に立設する第１仕切り板および該第１仕切り板と接触してかつ前記カンガルーポケット式制御部と所定の間隔を置いて立設する第２仕切り板と、を備えたことを特徴とする。
このように構成することにより、吸気した冷たい空気が加熱室外周を冷却した熱い空気と混合して熱くなった空気が制御基板に達する、といったことがなくなり、吸気した冷たい空気で制御基板が冷却されることとなる。
【００１４】
【発明の実施の形態】
以下、本発明に係る電子レンジの好適な実施の形態について図面を参照して詳細に説明する。
図１は本発明に係る電子レンジの斜視図である。
図において、１０は本発明に係る電子レンジ、２０は電子レンジ筺体、２３は加熱室、２８は加熱室外周を冷却した別の冷却系統の吐出口、３０は開閉扉、４０はカンガルーポケット式制御部、２０６は背面板、２０６ａは背面板２０６に設けられた開口、２０７は通気路である。
電子レンジ１０は、被加熱物を収容する加熱室２３に高周波（マイクロ波）を供給して被加熱物を誘電加熱する加熱調理器であって、図には現れていないが高周波を発生する高周波発生部としてのマグネトロンと、加熱室２３内の空気を撹拌・循環させる循環ファンと、加熱室２３内を循環する空気を加熱する室内気加熱ヒータとしてのコンベクションヒータと、加熱室内の温度を検出する温度センサとを主要な構成要素として備えている。
【００１５】
加熱室は前面開放の箱形の電子レンジ筐体２０内部に形成され、電子レンジ筐体２０の前面には、加熱室２３の被加熱物の取出口を開閉する透光窓付き開閉扉３０が設けられている。開閉扉３０は、下端が電子レンジ筐体２０の下縁にヒンジ結合されることで、該下端を回転中心として上端が前後方向に移動して開閉可能となっている。
【００１６】
加熱室２３と電子レンジ筐体２０との壁体面間には所定の断熱空間が確保されており、図示のない別の冷却ファンで加熱室外周を冷却し、吐出口２８から吐出された後、さらに上昇し電磁調理器の筐体を通って上方に排気される。必要に応じてこの空間には断熱材が装填されている。
【００１７】
図では、理解し易いように電子レンジ筐体２０を剥き出しで描いているが、実際はこの電子レンジ筐体２０の全体を上からコ字状の大きな外装パネル（図示なし）が覆っている。
【００１８】
図２〜図５は本発明に係るカンガルーポケット式制御部である。
図２はカンガルーポケット式制御部４０を背面から見た斜視図、図３は図２の筐体の一部を破断して背面から見た斜視図、図４はカンガルーポケット式制御部４０の側部断面図で、（ａ）は不使用時、（ｂ）は回転途中、（ｃ）は使用時をそれぞれ示し、図５はカンガルーポケット式制御部４０の正面図で、（ａ）は使用時、（ｂ）は不使用時をそれぞれ示している。
【００１９】
図２において、４０は本発明に係るカンガルーポケット式制御部で、このカンガルーポケット式制御部４０は中が空洞の三角柱、四角柱、五画柱などの筐体で構成されることができる。ここでは面４２、４４、４８、４８から成る四角柱とし、４２を表示・操作面、４４を不使用時露出面（無搭載面）、４６を排気面、４８を吸気面としている。排気面４６には、本発明により冷却風を排気する開口４６ａ、吸気面４８には冷却風を吸気する開口４８ａが多数個長さ方向に設けられている。四角柱の両端（図で左右端部）を側板４３で塞ぎ、回転中心にピン挿入孔４３ａが開けられている。このピン挿入孔４３ａにピンＰを、電子レンジ本体２０に固定の制御部収納室２２（図７）の両端部に形成されたピン挿通孔２２３ａと共に挿通することによって回転可能となっている。
【００２０】
カンガルーポケット式制御部４０の表示・操作面４２には、制御内容や加熱温度、加熱経過時間等を示す液晶表示部４２１（図５）の他に、加熱の開始を指示するスタートスイッチ、高周波加熱や他の加熱方法を切り替える切替スイッチ、予め用意されている加熱プログラムをスタートさせる自動調理スイッチ等の種々の操作スイッチ４２２（図５）が搭載されている。
【００２１】
筐体の内部には、これらの液晶表示部４２１や操作スイッチ４２２を制御する制御基板が搭載されている。図３はこの制御基板４９を図示している。
制御基板４９は電子レンジの制御および表示を行なうための電気部品、ＣＰＵなどを搭載したプリント基板で、これには発熱する部品が多数搭載されており、冷却される必要がある。
【００２２】
図４において、制御部収納室２２は上面２２１、奥面２２２、下面２２３から成る断面コ字状をした筐体で、開放面を使用者側に向け、奥面２２２を電子レンジ筐体側に固定している。奥面２２２には開口２２２ａが長さ方向に多数（図６）設けられている。また、制御部収納室２２側には制御部受け突起２２ａが設けられている。
【００２３】
カンガルーポケット式制御部４０の不使用状態から使用状態にするため回転させるには、例えばカンガルーポケット式制御部４０の操作部に小さな摘みを設けておき、それを引くことによりピンＰを中心にして操作部を飛び出し状態とし、それを戻すことにより収納状態に戻すようにすればよい。あるいは、飛び出し操作用の押圧ボタンと収納操作用の押圧ボタンとを電子レンジ筐体部２０側に設けておき、前者のボタンを押圧することで飛び出し状態とし、後者のボタンを押圧することにより戻すようにしてもよい。
【００２４】
図４（ａ）の不使用時には、吸気面４８が制御部受け突起２２ａにもたれかかった状態で安定する。この状態でカンガルーポケット式制御部４０の不使用時露出面４４が制御部収納室２２の前面とツライチとなっている。したがって、表示・操作面４２は制御部収納室２２の内部に隠れており、誤接触等により制御スイッチ等が動作することがない（図５（ｂ）も参照）。
また、電子レンジを使い終わっても所定時間冷却ファンを回し続けることがあるが、その場合でも、冷却空気は奥面開口２２２ａから入り、吸気面開口４８ａを通って矢印で示す方向に進み、制御基板４９を冷やし、排気面開口４６ａからカンガルーポケット式制御部４０と制御部収納室２２の下面２２３との間の隙間Ａを通って外部へ流れるので、制御基板４９を冷やし続けることができる。
【００２５】
図４（ｂ）では、制御部収納室２２の内部でカンガルーポケット式制御部４０がピン挿入孔４３ａを中心に回転している途中である。不使用時露出面４４が隠れ始め、表示・操作面４２が露出し始めるか、またはその逆の状態である。
この場合も、冷却空気は矢印で示す方向にカンガルーポケット式制御部４０と制御部収納室２２の下面２２３との間の隙間を通って外部へ流れることができるので、電子レンジの使用後も制御基板４９を冷やし続ける。
【００２６】
図４（ｃ）の使用時は、吸気面先端４３が制御部収納室２２の上面２２１の先端鉤部２２１ａにもたれかかった状態で安定する。この状態でカンガルーポケット式制御部４０の表示・操作面４２が仰臥状態（図で約４５度）になっており、垂直の制御部（図９）と比べて操作し易くなる。
電子レンジの使用中は冷却ファンを回し続けているので、冷却空気は奥面開口２２２ａから入り、吸気面開口４８ａを通って矢印で示す方向に進み、制御基板４９を冷やし、排気面開口４６ａからカンガルーポケット式制御部４０と制御部収納室２２の下面２２３との間の隙間Ａを通って外部へ流れるので、制御基板４９を冷やすことができる。
【００２７】
このようにカンガルーポケット式制御部２０と制御部収納室２２の隙間Ａを通って冷却後の空気が排出されるので、カンガルーポケット式制御部２０と電子レンジ２０の開閉扉３０との間にエアカーテンが生じている。したがって、使用時に電子レンジ２０の開閉扉３０が開けられて、加熱室２３から熱い水蒸気が出で上昇しても、エアカーテンによって水蒸気がカンガルーポケット式制御部４０に近づけず、液晶表示部に当たって液晶表示部を曇らせるようなことが起こらないし、同じく水蒸気がカンガルーポケット式制御部４０内に入って電子部品を故障させる、といったこともなくなる。
【００２８】
図５（ａ）の使用時には、カンガルーポケット式制御部４０の表示・操作面４２が仰臥状態（図で約４５度）になるので、液晶表示部４２１が見易く、操作スイッチ４２２も操作し易い。また、冷却空気がカンガルーポケット式制御部４０と制御部収納室２２の下面との間の隙間を通って流れ出てエアカーテンを形成している。
【００２９】
図５（ｂ）の不使用時には、表示・操作面４２は隠れ、代わりに何も搭載されていない無搭載面４４が露出している。したがって誤接触等により制御スイッチ等が動作することがない。また、冷却ファンが回っている限り、冷却空気がカンガルーポケット式制御部４０と制御部収納室２２の下面との間の隙間を通って流れ出てエアカーテンを形成している。
【００３０】
図６は図１のカンガルーポケット式制御部４０が取り付けられる電子レンジを背面から見た斜視図である。図において、１０は電子レンジで、大きく電子レンジ筐体２０と開閉扉３０とから構成されている。電子レンジ筐体２０は、その背面板２０６の下方に、空気を電子レンジ筐体２０内に採り入れるための吸気ファン２０１と、吸気ファン２０１を覆うカバー２０２と、カバー２０２内の空気を筺体２０の上方へ送るガイド板２０３とを備えている。カバー２０２は下方に開口しており、吸気ファン２０１が回転すると冷たい空気がその開口から吸気されてカバー２０２内に入り、ガイド板２０３の中を通って筺体２０の上方へ送られる。筺体２０の背面板２０６のガイド板２０３の接する部位に開口２０６ａ（図１）が設けられていて、上方へ達した空気は開口２０６ａを通って筺体２０の天井裏に入る。
【００３１】
天井裏には筺体２０の側面と所定の間隔を置いて平行に仕切り板２０４（図６）と、この仕切り板２０４と接触してカンガルーポケット式制御部４０と所定の間隔を置いて平行に仕切り板２０５を設けている。
これらの仕切り板２０４、２０５によって、別の冷却系統である加熱室外周を冷却して吐出口２８（図１）から天井裏吐出空間２０９に吐出された熱い空気と混合することがなくなる。したがって、カンガルーポケット式制御部４０の下の隙間から吐出される冷却後の空気が熱く（９０度以上）なることがなく、使用者を火傷させる恐れが皆無となる。なお、別の冷却系統である加熱室外周を冷却して吐出口２８（図１）から天井裏吐出空間２０９に吐出された熱い空気は、さらに上へ引かれて上昇し電磁調理器の筐体の後方を通って後方隅部から上に排気される。
【００３２】
筺体２０の側壁と仕切り板との間に形成される風路２０７を通って空気は筺体２０の前方へ向かい、制御部収納室２２と仕切り板２０５との風路を通って制御部収納室２２に設けられた開口２２２ａを通ってカンガルーポケット式制御部４０の裏側に入る。その後の空気は図４で説明した経路を通ってカンガルーポケット式制御部４０の隙間から外部に吐出される。この隙間から吐出されるときエアカーテン効果が機能し、蒸気などのカンガルーポケット式制御部４０への侵入を阻止する。
【００３３】
図７は図６の電子レンジを正面側から見た斜視図で、カンガルーポケット式制御部４０を取りはずした状態で示している。電子レンジ筐体の背面下部から冷たい空気が、図６で説明したようにして背面板２０６の上方隅部に設けられた開口２０６ａを通って筺体２０の天井裏へ入り、通路２０７を通って制御部収納室２２の開口２２２ａからカンガルーポケット式制御部４０の中に入り、図４で説明した経路を通って外部に吐出される様子が理解できる。
【００３４】
以上のように、カンガルーポケット式制御部２０の筐体内部には制御基板４９が内蔵されていて、この制御基板４９には発熱する電気・電子部品が多数搭載されているため、冷却する必要がある。そこで図６で説明したように冷たい空気を電子レンジ筐体２０（図１）の背面より吸気し、背面板２０６に設けられた開口２０６ａより通気路２０７に導き、そこからカンガルーポケット式制御部２０の吸気面４８の開口４８ａ（図２）を通って内部に入り、制御基板４９（図３）を冷やした後、排気面４６の開口４６ａ（図２）を通ってカンガルーポケット式制御部２０の筐体外に排気され、カンガルーポケット式制御部２０と制御部収納室２２の隙間Ａを通って、電子レンジ筐体２０前面へ吐出される。
【００３５】
したがって開閉扉が開けられると加熱室２３から熱い水蒸気が出るが、カンガルーポケット式制御部２０と制御部収納室２２の隙間Ａを通って排出される空気の流れによるエアカーテンで、水蒸気がカンガルーポケット式制御部４０に近づけず、液晶表示部に当たって液晶表示部を曇らせるようなことが起こらない。同じく、水蒸気がカンガルーポケット式制御部４０内に入ることも阻止され、電子部品を故障させることがなくなる。
【００３６】
また、操作部を装置上部に置いたので、しゃがまなくても操作できるようになり、しかもカンガルーポケットにしたので、制御面が垂直ではなく所定の角度を持つことになり同じ上部にあっても図９の操作部と比べて操作性が著しく向上する。
【００３７】
カンガルーポケットは元々加熱室の上部に置くには向いていなかった。というのは、カンガルーポケットには回転できるための隙間が必要であり、開発実験途中ではこの隙間が障害となっていた。例えば、隙間から蒸気がカンガルーポケット内部に侵入して液晶表示器を曇らせたり、電機部品を加熱したり・湿らせたりといった悪影響を与えたからである。
【００３８】
そこで本出願人は、蒸気の内部侵入を防止するために、隙間にクッションを配備して実験を試みたが、これだとクッションが余分に必要となり、取り付け工数も増えるのでコスト高となり、しかもクッションの経年劣化により蒸気の侵入が生じるようになり、それ以上にカンガルーポケットの操作性（スムーズな回転）が悪くなった。
【００３９】
そこで本出願人は、カンガルーポケットを開閉扉の上方に設けることの欠点である隙間をエアカーテンの吹き出し口として積極的に利用することによって、これらの欠点がすべて解消できることに気がついた。このようにカンガルーポケットの隙間をエアカーテンの吹き出し口として積極的に利用することによって、クッションを用いなくてよくなりコスト安で、エアカーテン効果により蒸気の侵入がなくなり、操作性のよいものとなったばかりか、本来の排気口（図９の９３）の代用をするため、これが不必要となり排気口のスペースが省略できた。
【００４０】
このように、本発明に係る電子レンジ１０によれば、カンガルーポケット式制御部４０が装置の前面上部に取り付けられているので操作ボタンを操作する際にその都度しゃがむ必要が無くなり操作性が良くなり、また、カンガルーポケット式制御部４０の開転用隙間から空気を排気するので、排気口を別途設ける必要がなくなるので加熱室内部空間が大きくとれ、しかも排気を装置前面の上部で行うので、塵埃を巻き上げることがなくなり、清潔となる。
【００４１】
【発明の効果】
以上のように、本発明に係る請求項１記載の電子レンジによれば、被加熱物を収容する加熱室と、該加熱室内に高周波を供給する高周波発生部と、装置の制御をする制御基板を内包した制御部と、該制御部内へ冷却風を送る送風部と備え、前記加熱室に高周波を供給して前記被加熱物を加熱処理する電子レンジであって、他の種類の加熱調理器の直下に組み込み配置されるビルトインタイプの電子レンジにおいて、前記制御部を長さ方向に延びるカンガルーポケットで構成し、該カンガルーポケット式制御部を前記電子レンジの前面上部に取り付け、前記送風部からの空気を前記カンガルーポケット式制御部の裏面から前記カンガルーポケット式制御部内へ導入し、前記制御基板を冷却した空気を前記カンガルーポケット式制御部の有する回転用隙間から排気するようにしたので、操作器を操作する際にその都度しゃがむ必要が無くなり操作性が良くなり、また、カンガルーポケット式制御部の開転用隙間から空気を排気するので排気口を別途設ける必要がなくなり装置が嵩張らなくなると共に、エアカーテンが形成されるので、カンガルーポケット式制御部の液晶表示器が曇るようなことが起きなくなる。
【００４２】
請求項２記載の発明によれば、送風部を電子レンジの裏側に設けたので、吸気口と排気口が装置を挟んで背面と前面に隔てて分離しているので、排気口から出た暖かい空気を吸気することがなく、冷却効率が良くなる。
【００４３】
請求項３記載の発明によれば、送風部からの空気を加熱室の天井裏に導き、そこからカンガルーポケット式制御部の裏面へ導くようにしたので、電子レンジの天井が冷やされることとなる。
【００４４】
請求項４記載の発明によれば、電子レンジの背面板の裏側に設けられて前記送風部からの空気を前記天井裏の隅部に導くガイド部材と、前記天井の裏側に設けられ、前記電子レンジの側面と所定の間隔を置いて平行に立設する第１仕切り板および該第１仕切り板と接触してかつ前記カンガルーポケット式制御部と所定の間隔を置いて立設する第２仕切り板と、を備えたことを特徴とする。
このように構成することにより、吸気した冷たい空気が加熱室外周を冷却した熱い空気と混合して熱くなった空気が制御基板に達する、といったことがなくなり、吸気した冷たい空気で制御基板が冷却されることとなる。
【図面の簡単な説明】
【図１】本発明に係る電子レンジの斜視図である。
【図２】カンガルーポケット式制御部を背面から見た斜視図である。
【図３】図２の筐体の一部を破断して示す斜視図である。
【図４】カンガルーポケット式制御部の側部断面図で、（ａ）は不使用時、（ｂ）は回転途中、（ｃ）は使用時をそれぞれ示している。
【図５】カンガルーポケット式制御部４０の正面図で、（ａ）は使用時、（ｂ）は不使用時をそれぞれ示している。
【図６】図１のカンガルーポケット式制御部が取り付けられた電子レンジを背面から見た斜視図である。
【図７】図６の電子レンジを正面側から見た斜視図である。
【図８】特許文献１記載のビルトインタイプの第１従来装置の斜視図である。
【図９】特許文献２記載のビルトインタイプの第２従来装置の斜視図である。
【符号の説明】
１０  本発明に係る電子レンジ
２０  電子レンジ筺体
２０１  吸気ファン
２０２  吸気ファンカバー
２０３  ガイド板
２０４、２０５  仕切り板
２０６  背面板
２０６ａ  背面板開口
２０７  通気路
２０９  天井裏吐出空間
２２  制御部収納室
２２ａ  制御部受け突起
２２１  制御部収納室上面
２２２  制御部収納室奥面
２２２ａ  制御部収納室奥面開口
２２３  制御部収納室下面
２２３ａ  ピン挿通孔
２３  加熱室
２８  冷却系統の吐出口
３０  開閉扉
４０  カンガルーポケット式制御部
４２  表示・操作面
４２１  液晶表示部
４２２  操作スイッチ
４３  側板
４３ａ  ピン挿入孔
４４  不使用時露出面（無搭載面）
４６  排気面
４６ａ  排気面開口
４８  吸気面
４８ａ  吸気面開口
【図１】
2005003319.tif 000003
【図２】
2005003319.tif 000004
【図３】
2005003319.tif 000005
【図４】
2005003319.tif 000006
【図５】
2005003319.tif 000007
【図６】
2005003319.tif 000008
【図７】
2005003319.tif 000009
【図８】
2005003319.tif 000010
【図９】
2005003319.tif 000011